Podtech/llm-jp-corpus-v4-ja_patent huggingface dataset:
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
シールと軸受との組合せ構造体であって；
該軸受が、内部に環状凹部と該環状凹部の外周囲における保持部分とを有しているボデーを具備していて、該シールが、該環状凹部に収容されるべく配置された環状シール部材を具備しており、該環状シール部材は、弾性突起が延伸している外周面を有している環状ボデー部分を備えていて、該弾性突起は該シールを該環状凹部に保持するために該保持部分と協働すべく配置されている、シールと軸受との組合せ構造体において；
該環状ボデー部分が第一及び第二肩部分を有していて、該第一肩部分は、該軸受に対して使用時にシールを提供するべく配置されており、該第二肩部分は、該軸受が取り囲んで設置されているシャフトに対して使用時にシールを提供するべく配置されていて、該環状ボデー部分は、さらに内部撓性部材を有している；
シールと軸受との組合せ構造体。
【請求項２】
該弾性突起が該環状凹部において該シールのスナップフィットを提供している、請求項１に記載のシールと軸受との組合せ構造体。
【請求項３】
該シールは、該弾性突起を通過する放射面に対して対称的である、請求項１又は２に記載のシールと軸受との組合せ構造体。
【請求項４】
該シールが成形ゴムを備えている、請求項１−３のいずれか一項に記載のシールと軸受との組合せ構造体。
【請求項５】
軸受に使用するためのシールであって、該シールが環状シール部材を具備していて、該環状シール部材は、弾性突起が延伸している外周面を有している環状ボデー部分を備えていて、該弾性突起は該シールを該軸受に保持するために軸受部分と協働すべく配置されており、該環状ボデー部分がさらに第一及び第二肩部分を有していて、該第一肩部分は、該軸受に対して使用時にシールを提供するべく配置されており、該第二肩部分は、該軸受が取り囲んで設置されているシャフトに対して使用時にシールを提供するべく配置されていて、該環状ボデー部分は、さらに内部撓性部材を有している；
シール。
【請求項６】
該弾性突起が該環状凹部において該シールのスナップフィットを提供している、請求項５に記載のシール。
【請求項７】
該シールは、該弾性突起を通過する放射面に対して対称的である、請求項５又は６に記載のシール。
【請求項８】
該シールが成形ゴムを備えている、請求項５−７のいずれか一項に記載のシール。
【請求項９】
添付図面を参照しての説明あるいは添付図面に図示されているような、シールと軸受との組合せ構造体。
【請求項１０】
添付図面を参照しての説明あるいは添付図面に図示されているような、シール。
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
支援された位置標定可能装置を試験する方法において、
基地局シミュレーターと通信状態にある位置決定エンティティ（ＰＤＥ）シミュレーターを供給することと、
試験用の支援された位置標定可能装置（ＤＵＴ）を基地局シミュレーターおよび衛星航法システム（ＧＰＳ）シミュレーターに接続することと、
前記ＤＵＴが一連の所定のＧＰＳ信号を受信し、所望の試験シーケンス時間に、前記ＤＵＴが前記基地局シミュレーターからの支援データを要求し、前記基地局シミュレーターが、前記ＰＤＥシミュレーターからの支援データを要求し、前記ＤＵＴメッセージタイプおよびシステム経過時間に従って生成され、かつ、前記ＧＰＳシミュレーターと独立に生成されるデータを、前記ＰＤＥシミュレーターが前記基地局に供給し、前記基地局が前記ＰＤＥデータを前記ＤＵＴに転送する、試験シーケンスを開始することとを備えた方法。
【請求項２】
請求項１に記載の方法において、前記ＰＤＥデータは、経過試験時間によりインデックスが付けられた複数のＤＵＴ要求のいずれか１つに対する一連の所定の応答である方法。
【請求項３】
支援された位置標定可能装置を試験する方法であって、
基地局シミュレーターと通信状態にある位置決定エンティティ（ＰＤＥ）シミュレーターを供給することと、
試験用の支援された位置標定可能装置（ＤＵＴ）を基地局シミュレーターおよび衛星航法システム（ＧＰＳ）シミュレーターに接続することと、
システム経過時間に従って、かつ前記ＧＰＳシミュレーターと独立に生成される取得支援データと、前記ＤＵＴが擬似レンジ測定を行うための要求を、前記ＰＤＥシミュレーターが供給し、前記ＤＵＴが前記支援データと前記要求を受信し、前記支援データを用いて擬似レンジ測定を行い、前記擬似レンジ測定値を前記基地局シミュレーターに供給する、試験シーケンスを開始することとを備えた方法。
【請求項４】
請求項３に記載の方法において、前記ＰＤＥデータは、経過試験時間によりインデックスが付けられた一連の所定の応答である方法。
【請求項５】
支援された位置標定可能装置を試験する方法であって、
基地局シミュレーターと通信状態にある位置決定エンティティ（ＰＤＥ）シミュレーターを供給することと、
試験用の支援された位置標定可能装置（ＤＵＴ）を基地局シミュレーターおよび衛星航法システム（ＧＰＳ）シミュレーターに接続することと、
システム経過時間に従って、かつ前記ＧＰＳシミュレーターと独立に生成される取得支援データと、ＤＵＴが位置要求を行うための要求を、前記ＰＤＥシミュレーターが供給し、前記ＤＵＴが前記支援データと前記要求を受信し、前記支援データを用いて位置測定を行い、位置測定値を前記基地局シミュレーターに供給する、試験シーケンスを開始することとを備えた方法。
【請求項６】
請求項５に記載の方法において、前記ＰＤＥデータは、経過試験時間によりインデックスが付けられた一連の所定の応答である方法。
【請求項７】
支援された位置標定可能装置を試験するシステムであって、
少なくとも１つの基地局をシミュレートする基地局シミュレーターと通信状態にある位置決定エンティティ（ＰＤＥ）シミュレーターを供給する手段と、
試験用の支援された位置標定可能装置（ＤＵＴ）を前記基地局シミュレーターおよび衛星航法システム（ＧＰＳ）シミュレーターに接続する手段と、
前記ＤＵＴが一連の所定のＧＰＳ信号を受信し、所望の時間に、前記ＤＵＴが前記基地局シミュレーターからの支援データを要求し、前記基地局シミュレーターが前記ＰＤＥシミュレーターからの支援データを要求し、前記ＰＤＥが前記ＧＰＳシミュレーターデータとは独立したデータを前記基地局に供給し、前記基地局が前記ＰＤＥデータを前記ＤＵＴに転送する、試験シーケンスを開始する手段とを備えたシステム。
【請求項８】
支援された位置標定可能装置を試験するシステムであって、
少なくとも１つの基地局をシミュレートする基地局シミュレーターと通信状態にある位置決定エンティティ（ＰＤＥ）シミュレーターを供給する手段と、
試験用の支援された位置標定可能装置（ＤＵＴ）を前記基地局シミュレーターおよび衛星航法システム（ＧＰＳ）シミュレーターに接続する手段と、
取得支援データと、前記ＤＵＴが擬似レンジ測定を行うための要求を前記ＰＤＥシミュレーターが供給し、前記ＤＵＴが前記支援データと前記要求を受信し、前記支援データを用いて擬似レンジ測定を行い、擬似レンジ測定値を前記基地局シミュレーターに供給する、試験シーケンスを開始する手段とを備えたシステム。
【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
熱移動デバイスであって：
凝縮可能な流体を含む少なくとも１つのチャンバーであって、該少なくとも１つのチャンバーは、該凝縮可能な流体を蒸発するための熱源に接続されるように構成された蒸発領域を含み、該蒸発した凝縮可能な流体は、該少なくとも１つのチャンバー内の表面で凝縮物として収集される、少なくとも１つのチャンバー；および
該蒸発領域への該凝縮物の流れを促進するための該少なくとも１つのチャンバー内に配置された複数の相互接続されたウィック構造を含むマルチウィック構造であって、ここで該マルチウィック構造のウィック力は該蒸発領域に対する距離が減少するにつれて増加して、該凝縮物が該蒸発領域に接近するにつれて、該凝縮物の流速の増加を促進する、マルチウィック構造
を備える、熱移動デバイス。
【請求項２】
前記マルチウィック構造が、空間的に変化するウィック構造を有し、該ウィック構造のウィック力および構成は、該凝縮物が該蒸発領域に向かって移動するにつれて、該蒸発領域の外側で該凝縮物の空間的流れ要求に従って変化する、請求項１に記載の熱移動デバイス。
【請求項３】
前記マルチウィック構造が、該マルチウィック構造の少なくとも１つのウィック構造ブリッジ相互接続部分の間での前記凝縮物の流れを促進する、該マルチウィック構造の少なくとも１つのウィック構造ブリッジ相互接続部分を備える、請求項１に記載の熱移動デバイス。
【請求項４】
熱移動デバイスの作製方法であって、
凝縮可能な流体を含む少なくとも１つのチャンバーを形成する工程であって、該チャンバーは、該凝縮可能な流体を蒸発させるための熱源に接続されるように構成された蒸発領域を備え、該蒸発した凝縮可能な流体は、該少なくとも１つのチャンバー内の表面で凝縮物として収集される、工程；および
該蒸発領域への該凝縮物の流れを促進するための該少なくとも１つのチャンバー内に配置された複数の相互接続されたウィック構造を含むマルチウィック構造を形成する工程であって、ここで該マルチウィック構造のウィック力は該蒸発領域に対する距離が減少するにつれて増加して、該凝縮物が該蒸発領域に接近するにつれて、該凝縮物の流速の増加を促進する、工程
を包含する、方法。
【請求項５】
前記マルチウィック構造は、該凝縮物が該蒸発領域に向かって移動するにつれて該凝縮物の空間的流れ要求に従って変化する、空間的に変化するウィック構造を有するように形成される、請求項４に記載の方法。
【請求項６】
前記マルチウィック構造が、該マルチウィック構造の少なくとも１つのウィック構造ブリッジ相互接続部分の間での前記凝縮物の流れを促進する、該マルチウィック構造の少なくとも１つのウィック構造ブリッジ相互接続部分を備えるように形成される、請求項４に記載の方法。
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
レーダデータファイル（３０２）内のレーダデータ試験ポイントを利用してレーダシステムの性能を試験するための方法であって、
すべてのレーダデータ試験ポイントについてＧＰＳデータポイントを提供するために飛行試験からＧＰＳデータ（３０６）を補間するステップ（３１２）と、
補間された（３１２）ＧＰＳデータ（３０６）を使用して対応するデジタル標高地図（ＤＥＭ）ファイル（２８４）内のすべてのポイントについて機体座標値（３１４）を生成するステップと、
所定の時間にＤＥＭファイル（２８４）から生成される機体座標値（３１４）の少なくとも一部の周りで境界設定する機能を適用するステップと、
ＤＥＭファイル（２８４）から生成されるいずれの機体座標値（３２４）が所定の時間に関して現在のＧＰＳデータポイントに最も近いかを求めるステップと、
求められた機体座標値を所定の時間にレーダデータ試験ポイントと比較するステップを含む方法。
【請求項２】
データを平滑化するためにローパスフィルタ（３０８）を使用してレーダデータ試験ポイントを処理するステップをさらに含む、請求項１に記載の方法。
【請求項３】
データのサイズを小さくするためにデータ・デシメーション（３１０）を使用してレーダデータ試験ポイントを処理するステップをさらに含む、請求項１に記載の方法。
【請求項４】
飛行試験からＧＰＳデータ（３０６）を補間するステップ（３１２）は、ＧＰＳデータ内のデータポイントの欠損を満たすために直線近似を使用するステップをさらに含む、請求項１に記載の方法。
【請求項５】
境界設定機能を適用するステップは、レーダデータファイル（３０２）から少なくとも１つの境界設定値を使用し、ＤＥＭファイル（２８４）から生成される機体座標値（３１４）の数を削減するステップを含む、請求項１に記載の方法。
【請求項６】
第１の境界設定値（３１６）はレーダアンテナの角度および航空機高度の値（３１８）に基づいている、請求項１に記載の方法。
【請求項７】
第２の境界設定値（３２０）はレーダスワス幅の値および航空機高度の値に基づいている（３２２）、請求項６に記載の方法。
【請求項８】
ＧＰＳデータ（３０６）を備えた衛星航法システム（ＧＰＳ）ファイル、レーダデータ試験ポイントを含むレーダデータファイル（３０２）、ＧＰＳデータ（３０６）と時間同期をとられたレーダデータ試験ポイント、およびデジタル標高地図（ＤＥＭ）ファイル（２８４）を記憶し、
すべてのレーダデータ試験ポイントについてＧＰＳデータポイントを与えるためにＧＰＳデータ（３０６）を補間し（３１２）、
補間されたＧＰＳデータを使用し、ＤＥＭファイル（２８４）内のすべてのデータポイントについて機体座標値（３１４）を生成し、
ＤＥＭファイル（２８４）から生成されるいずれの機体座標値（３１４）が所定の時間に関して各々のＧＰＳデータポイントに最も近いかを求めることによってＧＰＳデータポイントを処理し、
最も近い機体座標値（３２４）を所定の時間にレーダデータ試験ポイントと比較する、
ように構成されたコンピュータ。
【請求項９】
ＧＰＳデータ（３０６）は時間、緯度、経度、および高度を含み、レーダデータファイル（３０２）は時間、ｘ、ｙ、およびｚ機体座標のレーダデータ試験ポイントと高度、ＧＰＳデータ（３０６）と時間同期させられた試験ポイントを含み、デジタル標高地図（ＤＥＭ）ファイル（２８４）は緯度、経度、および標高を含む、請求項８に記載のコンピュータ。
【請求項１０】
さらに、データを平滑化するためにローパスフィルタ（３０８）を使用してレーダデータ試験ポイントを処理するように構成される、請求項８に記載のコンピュータ。
【請求項１１】
さらに、データのサイズを小さくするためにデータ・デシメーション（３１０）を使用してレーダデータ試験ポイントを処理するように構成される、請求項８に記載のコンピュータ。
【請求項１２】
ＧＰＳデータ（３０６）を補間する（３１２）ために、直線近似を使用することでＧＰＳデータ内に追加のデータポイントを生成するように構成される、請求項８に記載のコンピュータ。
【請求項１３】
さらに、ＤＥＭファイル（２８４）から生成された機体座標値（３１４）の少なくとも一部の周りに境界設定機能を適用するように構成される、請求項８に記載のコンピュータ。
【請求項１４】
境界設定機能を適用するために、ＤＥＭファイル（２８４）から生成される比較対象の機体座標値（３１４）の数を、レーダデータファイル（３０２）から由来する少なくとも１つの境界設定値を使用して削減するように構成される、請求項１３に記載のコンピュータ。
【請求項１５】
レーダアンテナの角度と航空機の高度値に基づいて第１の境界設定値（３１６）を計算する（３１８）ように構成される、請求項１４に記載のコンピュータ。
【請求項１６】
レーダスワス幅の値と航空機の高度値に基づいて第２の境界設定値（３２０）を計算する（３２２）ように構成される、請求項１５に記載のコンピュータ。
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
ホストと通信するためにホストに結合するように構成され、パスワードを照合する認証システムにおいて、
認証シーケンスを記憶する第１の記憶ユニットと、
認証アルゴリズムを記憶するリードオンリーメモリユニットと、
前記第１の記憶ユニット、前記リードオンリーメモリユニットおよびウェブサーバに結合され、前記パスワードを受信し、前記認証アルゴリズムを実行するマイクロ制御装置と、
前記マイクロ制御装置に結合され、前記ウェブサーバからのデータを記憶する第２の記憶ユニットとを具備し、
前記認証アルゴリズムは前記パスワードを前記認証シーケンスと照合し、
前記パスワードが照合された場合のみ、前記第２の記憶ユニットへのアクセスが前記マイクロ制御装置により許容され、
前記ホストを介して、暗号化形態で、前記ウェブサーバからのデータを受信し、前記ホストで使用する前にそのデータを解読するように構成されている認証システム。
【請求項２】
前記パスワードは前記ホストから前記マイクロ制御装置により受信される請求項１記載の認証システム。
【請求項３】
前記リードオンリーメモリユニットは、多数の誤ったパスワードが前記マイクロ制御装置により受信された後に、前記ホストと前記認証システムとをシャットダウンさせるシャットダウンアルゴリズムをさらに含む請求項２記載の認証システム。
【請求項４】
前記パスワードは前記ウェブサーバから前記ホストにより受信される請求項２記載の認証システム。
【請求項５】
前記認証アルゴリズムは前記マイクロ制御装置中のファームウェアおよびハードウェアからなるグループの１つにハードコード化される請求項２記載の認証システム。
【請求項６】
前記第２の記憶ユニットはリムーバブル記憶デバイスである請求項５記載の認証システム。
【請求項７】
前記第２の記憶ユニットはフラッシュメモリを使用する請求項６記載の認証システム。
【請求項８】
前記マイクロ制御装置と前記リードオンリーメモリユニットは単一の半導体チップ上で実現される請求項２記載の認証システム。
【請求項９】
前記第１の記憶ユニットと前記リードオンリーメモリユニットは前記マイクロ制御装置に組み込まれる請求項８記載の認証システム。
【請求項１０】
前記マイクロ制御装置と前記第２の記憶ユニットとの間に結合されるエンコーダをさらに具備し、前記エンコーダは前記第２の記憶ユニットに書き込まれるデータを暗号化する請求項１記載の認証システム。
【請求項１１】
前記マイクロ制御装置と前記第２の記憶ユニットとの間に結合されたデコーダをさらに具備し、前記デコーダは前記第２の記憶ユニットから読み出されるデータを解読する請求項１０記載の認証システム。
【請求項１２】
前記第２の記憶ユニットに記憶されるデータはハッシュコード化される請求項１１記載の認証システム。
【請求項１３】
前記認証シーケンスは暗号化される請求項１２記載の認証システム。
【請求項１４】
前記認証シーケンスはハッシュコード化される請求項１２記載の認証システム。
【請求項１５】
前記第１の記憶ユニットは前記リードオンリーメモリユニット内に配置され、前記認証シーケンスは前記第１の記憶ユニットにハードコード化される請求項１記載の認証システム。
【請求項１６】
前記第２の記憶ユニットはパブリック記憶領域とプライベート記憶領域をさらに含む請求項１５記載の認証システム。
【請求項１７】
前記第１の記憶ユニットは前記第２の記憶ユニットの前記プライベート領域内に配置されている請求項１６記載の認証システム。
【請求項１８】
パスワードを認証する方法において、
ホストと通信するために認証システムをホストに結合し、
前記システムが前記パスワードを受信し、
前記システムが前記ホストを介して、暗号化形態で、ウェブサーバからのデータを受信し、前記データは前記システムの記憶ユニット上に記憶され、
前記システムが認証シーケンスを提供し、
前記システムが認証アルゴリズムを実行して、前記パスワードを前記認証シーケンスと照合し、前記認証アルゴリズムは前記システムのリードオンリーメモリユニットに記憶され、
前記パスワードが照合された場合のみ前記システムが前記記憶ユニット上の前記データへのアクセスを許容し、
前記システムが前記ホストで使用する前に、前記データを解読することを含む方法。
【請求項１９】
前記パスワードは前記ウェブサーバから受信される請求項１８記載の方法。
【請求項２０】
前記パスワードはユーザにより入力される請求項１９記載の方法。
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
ａ）外縁部を備えたアノード面と、外縁部を備えたカソード面と、外周とを有するポリマー電解質膜と、
ｂ）前記ポリマー電解質膜のアノード面の少なくとも一部と接触するアノード触媒材料層と、
ｃ）前記ポリマー電解質膜のカソード面の少なくとも一部と接触するカソード触媒材料層と、
ｄ）外縁部を有し、前記アノード触媒材料層と接触し、前記ポリマー電解質膜のアノード側の外縁部にわたって延在しないアノード側流体輸送層と、
ｅ）外縁部を有し、前記カソード触媒材料層と接触し、前記ポリマー電解質膜のカソード側の外縁部にわたって延在しないカソード側流体輸送層と、
ｆ）前記ポリマー電解質膜のアノード側の外縁部にわたって延在し、接触面と、外周とを有するアノード側ガスケットと、
ｇ）前記ポリマー電解質膜のカソード側の外縁部にわたって延在し、接触面と、外周とを有するカソード側ガスケットと、
を含むガスケット付燃料電池膜電極アセンブリであって、
前記ガスケットが、エラストマーガスケット材料を含み、
各ガスケットのエラストマー材料が、それぞれの流体輸送層の外縁部に含浸され、
前記ガスケットの各々の接触面の少なくとも一部が、隆起リッジ微細構造化接触パターンを有する、ガスケット付燃料電池膜電極アセンブリ。
【請求項２】
ｈ）外周を有し、前記アノード側ガスケットの少なくとも一部と前記ポリマー電解質膜のアノード面との間に位置決めされ、厚さが前記アノード側流体輸送層の厚さの９０％未満である剛性非エラストマーアノード側シムと、
ｊ）外周を有し、前記カソード側ガスケットの少なくとも一部と前記ポリマー電解質膜のカソード面との間に位置決めされ、厚さが前記カソード側流体輸送層の厚さの９０％未満である剛性非エラストマーカソード側シムと、
をさらに含む、請求項１に記載のガスケット付燃料電池膜電極アセンブリ。
【請求項３】
前記ガスケットの各々の外周が、前記ポリマー電解質膜の外周と同延である、請求項１又は２に記載のガスケット付燃料電池膜電極アセンブリ。
【請求項４】
前記隆起リッジ微細構造化接触パターンが、接合点で出会うリッジを含み、３以下のリッジが、いずれか１つの接合点で出会う、請求項１又は２に記載のガスケット付燃料電池膜電極アセンブリ。
【請求項５】
ａ）外縁部を備えたアノード面と、外縁部を備えたカソード面と、外周とを有するポリマー電解質膜と、
ｂ）前記ポリマー電解質膜のアノード面の少なくとも一部と接触するアノード触媒材料層と、
ｃ）前記ポリマー電解質膜のカソード面の少なくとも一部と接触するカソード触媒材料層と、
ｄ）外縁部を有し、前記アノード触媒材料層と接触し、前記ポリマー電解質膜のアノード側の外縁部にわたって延在しないアノード側流体輸送層と、
ｅ）外縁部を有し、前記カソード触媒材料層と接触し、前記ポリマー電解質膜のカソード側の外縁部にわたって延在しないカソード側流体輸送層と、
ｆ）前記ポリマー電解質膜のアノード側の外縁部にわたって延在し、接触面と、外周とを有する、エラストマーガスケット材料を含むアノード側ガスケットと、
ｇ）前記ポリマー電解質膜のカソード側の外縁部にわたって延在し、接触面と、外周とを有する、エラストマーガスケット材料を含むカソード側ガスケットと、
を含み、
各ガスケットのエラストマー材料が、それぞれの流体輸送層の外縁部に含浸されたガスケット付燃料電池膜電極アセンブリを製造する方法であって、
ｉ）プレスのプラテン間に、
１）アノード側流体輸送層と、
２）アノード触媒材料層と、
３）外縁部を備えたアノード面と、外縁部を備えたカソード面とを有するポリマー電解質膜と、
４）カソード触媒材料層と、
５）カソード側流体輸送層と、を位置決めする工程と、
ｉｉ）未硬化のエラストマーガスケット材料を前記ポリマー電解質膜のアノード側の外縁部に塗布する工程と、
ｉｉｉ）未硬化のエラストマーガスケット材料を前記ポリマー電解質膜のカソード側の外縁部に塗布する工程と、
ｉｖ）熱および圧力を加えて、同時に、
１）部分ｉ）１）、ｉ）２）、ｉ）３）、ｉ）４）、ｉ）５）をともに結合し、
２）前記未硬化のエラストマーガスケット材料を各流体輸送層の外縁部に含浸させ、
３）前記未硬化のエラストマーガスケット材料を実質的に硬化させて、アノード側およびカソード側ガスケットを形成する工程と、
を含む方法。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
半導体フロントエンドコンポーネントを取り付けることができる統一型フレームであって、統一型フレームは、全てのコンポーネントを位置合わせするための単一の基準となり、前記統一型フレームは、各々が上方部分、下方部分、フロントフェース及びリヤフェースを備えた少なくとも２つの垂直方向ストラットと、各前記垂直方向ストラットの前記上方部分に固定された上支持部材と、各前記垂直方向ストラットの前記下方部分に固定された下支持部材とを有し、前記下支持部材は、前記フロントフェースに固定された前取付け面及び前記リヤフェースに固定された後取付け面を形成し、前記統一型フレームは、前記前及び後取付け面に取り付けられたフロントエンドロードコンポーネントを更に有していることを特徴とする統一型フレーム。
【請求項２】
前記下支持部材は、前記前取付け面と前記後取付け面との間に位置するポートドア／キャリヤドア貯蔵領域を更に形成することを特徴とする請求項１記載の統一型フレーム。
【請求項３】
前記上支持部材は、少なくとも１つの有孔面を有していることを特徴とする請求項１記載の統一型フレーム。
【請求項４】
前記下支持部材は、少なくとも１つの有孔面を有していることを特徴とする請求項１記載の統一型フレーム。
【請求項５】
各前記垂直方向ストラットは、互いに実質的に平行であることを特徴とする請求項１記載の統一型フレーム。
【請求項６】
半導体フロントエンドコンポーネントを取り付けることができる統一型フレームであって、統一型フレームは、全てのコンポーネントを位置合わせするための単一の基準となり、前記統一型フレームは、各々が上方部分、下方部分、フロントフェース及びリヤフェースを備えた少なくとも２つの垂直方向ストラットと、各前記垂直方向ストラットの前記上方部分に固定された上支持部材と、各前記垂直方向ストラットの前記下方部分に固定されていて、前記フロントフェースに固定された前取付け面を形成する下支持部材と、前記下支持部材の前記前取付け面及び前記垂直方向ストラットの前記リヤフェースに取り付けられたフロントエンドロードコンポーネントとを有していることを特徴とする統一型フレーム。
【請求項７】
前記上支持部材は、少なくとも１つの有孔面を有していることを特徴とする請求項６記載の統一型フレーム。
【請求項８】
前記下支持部材は、少なくとも１つの有孔面を有していることを特徴とする請求項６記載の統一型フレーム。
【請求項９】
各前記垂直方向ストラットは、互いに実質的に平行であることを特徴とする請求項６記載の統一型フレーム。
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
一組のデータファイルから、１つのデータファイルを視覚化して、検索する方法であって、
対応するデータファイルを表わす複数の画像を、それぞれのデータファイル間の第１の距離尺度を用いて表示装置上に表示するステップと、
前記複数の画像の一部を、改善距離尺度を用いて前記表示装置上に再表示するステップと、
少なくとも１つの所望のデータファイルを検索するステップ、マーク付けするステップ、および、選択するステップのうちの少なくとも１つを実行するステップと、
を含む方法。
【請求項２】
前記所望のデータファイルが識別可能になるまで、前記再表示するステップを繰り返すステップをさらに含む、請求項１に記載の方法。
【請求項３】
前記第１の距離尺度が、
各データファイルに対して、特徴ベクトルを計算するステップと、
前記特徴ベクトルに含まれる第１のデータ・サブセットを用いて、各データファイル間の前記第１の距離尺度を計算するステップと、
を含む方法によって計算される、請求項１に記載の方法。
【請求項４】
前記改善距離尺度が、
前記第１のサブセットよりも大きい、前記特徴ベクトルに含まれる第２のデータ・サブセットを用いて、各データファイル間の第２の距離尺度を計算するステップ、
を含む方法によって計算される、請求項３に記載の方法。
【請求項５】
前記特徴ベクトルを計算する前記ステップが、
前記方法を開始する前に、各データファイルに対して、前記特徴ベクトルを計算するステップと、
各データファイルに対して、前記特徴ベクトルを格納するステップと、
各データファイルに対して、前記特徴ベクトルにアクセスするステップと、
を含む、請求項４に記載の方法。
【請求項６】
前記特徴ベクトルが、色特徴およびテクスチャ特徴のうちの少なくとも１つを含む、請求項４に記載の方法。
【請求項７】
前記特徴ベクトルが、色ヒストグラム、色モーメント、色コヒーレンス・ヒストグラム、多重解像度同時自己回帰（ＭＲＳＡＲ）モデル、粗さ、および、方向性のうちの少なくとも１つを含む、請求項４に記載の方法。
【請求項８】
前記第１の距離尺度が、表示のため、ＦａｓｔＭａｐを用いてＮ次元空間にマッピングされ、前記改善距離尺度が、再表示のため、ＦａｓｔＭａｐを用いてＮ次元空間にマッピングされる、請求項１に記載の方法。
【請求項９】
前記複数のデータファイル間の最大距離にわたる固定目盛を確立するステップと、
前記画像の一部の再表示のために、前記固定目盛上に相対的位置を示し、それにより、基準フレームを前記ユーザに与えるステップと、
をさらに含む、請求項１に記載の方法。
【請求項１０】
前記表示上の画像の重なり合い量を表わす表示深さ指標を与えるステップと、
スクロールして、前記画像の重なり合いにより以前には見ることができなかった画像を見るステップと、
をさらに含む、請求項１に記載の方法。
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
高音質のオーディオ・クリップを用いたビデオ・インデキシング方法であって、
オーディオ／ビデオ収集装置を用いて、オーディオ／ビデオ・シーケンスの録画中に高音質のオーディオ・クリップを収集するステップと、
共同オーディオ／ビデオ処理パイプラインを用いて、前記オーディオ／ビデオ・シーケンスと、前記高音質のオーディオ・クリップを処理して、送るステップと、
ビデオ・インデックスとして前記高音質のオーディオ・クリップを用いて、ユーザが、前記オーディオ／ビデオ・シーケンスを選択的に見ることができるように、前記高音質のオーディオ・クリップを用いて、前記オーディオ／ビデオ・シーケンスにインデックスを付けるステップと、
を含む方法。
【請求項２】
前記高音質のオーディオ・クリップを、高音質のサウンドで再生するステップをさらに含む、請求項１に記載の方法。
【請求項３】
前記収集するステップが、前記オーディオ／ビデオ収集装置上のボタンの選択を受け取るステップを含む、請求項１に記載の方法。
【請求項４】
前記オーディオ／ビデオ・シーケンス、前記高音質のオーディオ・クリップ、およびインデキシング情報、を記憶装置に記憶するステップをさらに含む、請求項１に記載の方法。
【請求項５】
前記記憶するステップが、前記オーディオ／ビデオ・シーケンス、前記高音質のオーディオ・クリップ、および前記インデキシング情報を、前記オーディオ／ビデオ収集装置のローカル記憶装置に記憶するステップを含む、請求項４に記載の方法。
【請求項６】
前記記憶するステップが、前記オーディオ／ビデオ・シーケンス、前記高音質のオーディオ・クリップ、および前記インデキシング情報を、ネットワークに接続されたコンピュータに記憶するステップを含む、請求項４に記載の方法。
【請求項７】
前記オーディオ／ビデオ・シーケンス、前記高音質のオーディオ・クリップ、および前記インデキシング情報を、前記ネットワークを通じて、他のユーザに送り、それにより、該他のユーザが、前記ビデオ・インデックスとして前記高音質のオーディオ・クリップを用いて、前記オーディオ／ビデオ・シーケンスを選択的に見ることができるようにするステップをさらに含む、請求項６に記載の方法。
【請求項８】
前記オーディオ／ビデオ・シーケンス、前記高音質のオーディオ・クリップ、および前記インデキシング情報を、前記ネットワークを通じて、他のユーザに送り、それにより、該他のユーザが、前記高音質のオーディオ・クリップを、高音質のステレオ・サウンドで再生できるようにするステップをさらに含む、請求項６に記載の方法。
【請求項９】
コンピュータを利用して、前記ビデオ・インデックスとして前記高音質のオーディオ・クリップを用いて、前記オーディオ／ビデオ・シーケンスを選択的に見るステップをさらに含む、請求項１に記載の方法。
【請求項１０】
前記コンピュータから、前記高音質のオーディオ・クリップの１つに関連するアイコンの選択を受け取って、前記高音質のオーディオ・クリップに関連する時点から、前記オーディオ／ビデオ・シーケンスを表示し始めるステップをさらに含む、請求項９に記載の方法。
【手続補正書】
【提出日】平成17年9月8日(2005.9.8)
【手続補正１】
【補正対象書類名】明細書
【補正対象項目名】０００５
【補正方法】変更
【補正の内容】
【０００５】
特許文献１からは、フィルタセルからなるフィルタモジュールが公知である。これらのフィルタセルの中心部はプラスチックの排出用のスペーサからなり、このスペーサには、平らなディスクの形の濾材からなるフィルタ層が両側で載置されている。フィルタセルの中心には濾液用開口部が設けられている。外縁でシールするためには、このタイプのフィルタセルの回りを合成材料で射出被覆しなければならない。このことは非常にコスト高になる。何故ならば、このためには、フィルタセルの寸法形状に適合されていなければならない特別な型を用いねばならないからである。非濾液空間に対するフィルタセルのシールは、縁部領域でのみ積み重なっている２つの濾過材料層を圧縮して、縁部領域を包摂するＵ字形のプラスチック要素を形成することによってなされる。
【手続補正２】
【補正対象書類名】明細書
【補正対象項目名】０００６
【補正方法】変更
【補正の内容】
【０００６】
特許文献２でも、同様に、このようなフィルタモジュールが記載されている。このフィルタモジュールでは、フィルタセルの間には、追加的に、いわゆる外側のスペーサが設けられていて、これらのスペーサは、フィルタセルの損傷、へこみ又は膨張を回避するために、複数のフィルタセルを間隔をあけて保たせる。更に、フィルタセル同士の間の半径方向の流れを改善することが意図されている。内側の及び外側のスペーサは異なって構成されている。それ故に、製造のためには種々の金型が必要になる。このフィルタモジュールの場合でも、回りを射出被覆されたフィルタセルが用いられる。
【手続補正３】
【補正対象書類名】明細書
【補正対象項目名】０００７
【補正方法】変更
【補正の内容】
【０００７】
積み重ねられたフィルタセルからなるフィルタモジュールは特許文献３から読み取られる。前記モジュールを製造するためには、内側にある排出材料を有するフィルタポケットが製造される。これらのフィルタポケットはシール要素及びプラスチック素材とによって漏れ止め状態で囲繞されている。続いて、これらのポケットは、流体が複数のセルの間に浸入することができるように、積み重ねられている。このフィルタモジュールの場合でも、複数のフィルタ個別層を間隔をあけて設けるためには追加の構成要素が必要である。フィルタモジュール内の流れはフィルタ個別層の面でなされる。しかし乍ら、濾過を引き起こすためには、流れがこれらのフィルタ個別層を個別層の面に対し直角方向に貫流する必要がある。これらのフィルタセルは、特別な措置なしには、逆流洗浄不可能である。
【手続補正４】
【補正対象書類名】明細書
【補正対象項目名】０００８
【補正方法】変更
【補正の内容】
【０００８】
他のフィルタモジュールは特許文献４から公知である。幾つかのフィルタセルが一体化されてなるフィルタモジュールは、中央の支持管を有する。この支持管に沿って、支持管の両端でしっかり取着されている２つのアダプタ部分の間で、複数のフィルタセルは、軸方向に圧縮されて、互いに対しシールされた状態で保たれている。支持管の内部は、支持管の周囲壁に取着された通路によって、各々のフィルタセルの内部空間と接続されており、かくて、すべてのフィルタセルのための、濾液用の共通の排出流路を形成する。
【手続補正５】
【補正対象書類名】明細書
【補正対象項目名】００１０
【補正方法】変更
【補正の内容】
【００１０】
特許文献５からは、濾液及び非濾液のための溜め又は分配層を有するフィルタモジュールが公知である。これらの層の間には、厚い濾過材料からなる、夫々少なくとも１つのフィルタ個別層が設けられている。複数のフィルタ個別層及び溜め又は分配層は同一の基礎材料から製造されており、異なった濾過効率を有する。溜め又は分配層は交互に濾液又は非濾液空間に対しシールされている。シール要素は、互いに結合する手段を有する型部分からなっていてもよい。
【手続補正６】
【補正対象書類名】明細書
【補正対象項目名】００１１
【補正方法】変更
【補正の内容】
【００１１】
特許文献６からは、濾材からなる層を有し、これらの層の間には複数の排出用のスペーサ要素が設けられてなるフィルタモジュールが、公知である。排出用のスペーサ要素は、同様に、交互に濾液又は非濾液空間に対しシールされている。更に、排出層も同様に交互に貫流要素を有し、これらの貫流要素は、排出用の複数の層の面にある孔又は溝を有する中実なフレームを有する。シール要素及び／又は貫流要素は互いに結合する手段を有する。しかし乍ら、貫流要素又はシール要素は互いに結合されることができる。
【手続補正７】
【補正対象書類名】明細書
【補正対象項目名】００１３
【補正方法】変更
【補正の内容】
【００１３】
結合手段は、シールを改善することなしに、モジュール全体を固定するためにのみ用いられる。  
【特許文献１】米国特許４３４７２０８
【特許文献２】欧州特許０２３３９９９
【特許文献３】欧州特許０２９１８８３Ａ３
【特許文献４】ドイツ特許３７４１５５２Ａ１
【特許文献５】ドイツ特許公開１９８３６９４９Ａ１
【特許文献６】ドイツ特許公開１９８３７２５７Ａ１
【特許文献７】米国特許６８２７８５１Ｂ１
【特許文献８】ドイツ特許公開１９８５７７５１Ａ１
【特許文献９】米国特許６８７５３５２Ｂ１
【特許文献１０】ＷＯ００/３５５５５
【特許文献１１】ドイツ特許公開３２３９６８７Ａ１
【特許文献１２】米国特許３６４７０８４
【特許文献１３】米国特許５５４９８２４
【誤訳訂正書】
【提出日】平成17年12月7日(2005.12.7)
【誤訳訂正１】
【訂正対象書類名】明細書
【訂正対象項目名】０００３
【訂正方法】変更
【訂正の内容】
【０００３】
穿刺用先端部は、前後への、すなわち往復ねじり運動に依拠しつつ、内側を向いた最小の直線状の押圧力を器具にかけるだけで、体の組織に、容易にアクセス開口部を形成することができるような表面形状を有している。この穿刺用先端部の外側表面の形状は、ほぼ実質的に楕円形状を有し、その先端部の少なくとも大部分の長さに沿って延びる垂直断面を、少なくとも部分的に有することを特徴としている。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】  核酸を含む生物学的材料由来の核酸を抽出する方法であって、ここで該方法は：
該生物学的材料を第１のｐＨにおいて固相と接触する工程であって、該ｐＨで、該固相が、該核酸が該生物学的材料中の汚染物に優先して該固相に結合するような正電荷を有する工程；
該固相のｐＫａを超える、第２のより高いｐＨで核酸を放出し、該正電荷を逆転するかまたは中性化し、該固相から該結合した核酸を放出する工程、を包含し、 ここで、該固相が、制御された細孔のガラス、ポリサッカライド、セラミック材料、多孔性のプラスチック材料、プラスチック材料、ポリスチレンビーズ、常磁性ビーズ、または単一の成形部分もしくは容器中の挿入物である多孔性のプラスチックプラグであり；そして、
ここで、該核酸が低塩緩衝液を用いて放出される、方法。
【請求項２】前記プラスチック材料が、ピペットチップ、ウェルプレートまたは深いウェルのプレート、またはＰＣＲチューブの形態である、請求項１に記載の方法。
【請求項３】前記溶出された核酸が、さらなる精製の必要性なくして分析またはＰＣＲを用いる増幅される、請求項１または２に記載の方法。
【請求項４】前記低塩緩衝液が、ｐＨ８．５の１０ｍＭ  Ｔｒｉｓ  ＨＣｌである、請求項１〜３のいずれか１項に記載の方法。
【請求項５】前記核酸が、６より小さいｐＨで前記固相に結合し、そして８より大きいｐＨで該固相から放出される、請求項１〜４のいずれか１項に記載の方法。
【請求項６】前記核酸が、実質的に中性のｐＨで前記固相に結合し、そして１０より大きいｐＨで該固相から放出される、請求項１〜５のいずれか１項に記載の方法。
【請求項７】前記固相が、核酸に対する天然の親和性を有する材料から形成される、請求項１〜６のいずれか１項に記載の方法。
【請求項８】前記固相が、正電荷を導入し核酸をそれに結合させるか、または核酸に対するその親和性を増加する試薬で処理されたその表面を有する、請求項１〜６のいずれか１項に記載の方法。
【請求項９】前記核酸を結合し得る固相が、そのｐＨをそのｐＫａの上に変化することによって反転または中性化され得る、正電荷を有する電荷が切替え可能なイオン交換樹脂である、請求項１〜８のいずれか１項に記載の方法。
【請求項１０】前記イオン交換樹脂が、ヌクレオチド、ポリアミドまたはイミダゾール部分を含む化合物を含む、請求項９に記載の方法。
【請求項１１】前記固体材料の表面が、ヒスチジンまたはポリヒスチジンで処理される、請求項８に記載の方法。
【請求項１２】前記固相が、官能基を含むために修飾されたプラスチック表面を含有する、請求項１〜１１のいずれか１項に記載の方法。
【請求項１３】前記プラスチック材料がポリプロピレンである、請求項１１または１２に記載の方法。
【請求項１４】前記ポリプロピレン表面が、カルボキシル化された表面を作製するために酸化剤を用いて該表面を酸化することによって修飾される、請求項１３に記載の方法。
【請求項１５】前記カルボキシル基が、アニオン交換基と共有結合的にカップリングすることによってさらに修飾され、電荷相互作用による核酸の結合を可能にする、請求項１４に記載の方法。
【請求項１６】前記アニオン交換基が、イミダゾール、ポリヒスチジンまたは強イオン交換体もしくは弱イオン交換体である、請求項１５に記載の方法。
【請求項１７】前記固相が、少量の核酸を単離および固定化し、それによって次のＰＣＲまたは他の遺伝子分析および操作のための鋳型を生成する、請求項１〜１６のいずれか１項に記載の方法。
【請求項１８】前記固相が多重ウェルプレートであり、それによって異なるサンプル由来の核酸の一連の抽出が実質的に同時に行われる、請求項１〜１７のいずれか１項に記載の方法。
【請求項１９】  前記固相が、血液サンプルと、混合／撹拌デバイス中の前記固体材料と混合することによるか、該血液サンプルを、該固相上を通過することによるか、あるいは、該固相が磁化可能な支持体上で操作されて接触される、請求項１〜１８のいずれか１項に記載の方法。
【請求項２０】  前記固相がカラム中にあり、そして前記血液サンプルが該カラムを通して適用される圧力差によって該カラムを通して吸い上げられる、請求項１〜１９のいずれか１項に記載の方法。
【請求項２１】  前記血液サンプルが、空気を用いて吸い上げられ、そして前記顆粒状固相流動化されるようになる、請求項２０に記載の方法。
【請求項２２】  前記サンプルが、血液サンプルである、請求項１〜２１のいずれか１項に記載の方法。
【請求項２３】  前記血液中の細胞が溶解されて核酸を放出する、請求項２２に記載の方法。
【請求項２４】  前記細胞が、イオン性界面活性剤もしくは非イオン性界面活性剤、塩の低張溶液、タンパク質分解酵素、カオトロピック剤と接触することによってか、またはｐＨ変化もしくは熱を使用することによって溶解される、請求項２３に記載の方法。
【請求項２５】  前記血液サンプルを、処理および注入をより容易にするために、水または他の希釈剤で希釈する工程を包含する、請求項２３または２４に記載の方法。
【手続補正書】
【提出日】平成17年8月3日(2005.8.3)
【手続補正１】
【補正対象書類名】明細書
【補正対象項目名】特許請求の範囲
【補正方法】変更
【補正の内容】
【特許請求の範囲】
【請求項１】
所定の長さと、第１端および第２端とを有する細長いハウジングと、
前記ハウジングの長さ方向に沿って間隔を空けて設けられた複数のガス排出口と、
前記ハウジング内に包含される推進剤体であって、前記ハウジングと略同延の長さを有する前記推進剤体と、
前記推進剤と略同延である着火体であって、略前記推進剤の長さにわたって前記推進剤と物理的に接触すると共に、前記推進剤の燃焼速度の少なくとも２倍の燃焼速度を有する前記着火体とを含み、
該着火体に点火することによって、本質的に前記推進剤の全長にわたる均一な着火および燃焼がもたらされる、車両乗員保護システムのガス発生装置。
【請求項２】
ハウジングに包含されて、ハウジングと略同延の有孔スリーブをさらに含み、該スリーブに推進剤が収容されている、請求項１に記載のガス発生装置。
【請求項３】
複数のガス排出口の少なくとも１つのガス排出口に対応して、各フィルタがその上に取り付けられている、複数のフィルタをさらに含み、それによってガス発生装置から流出するガスをフィルタリングする、請求項１に記載のガス発生装置。
【請求項４】
ハウジングに包含されて、ハウジングと略同延の環状フィルタをさらに含み、該環状フィルタが有孔スリーブを包み込んでいる、請求項２に記載のガス発生装置。
【請求項５】
ハウジングの回りを包む断熱材をさらに含み、該断熱材が、複数のガス排出口に対応する複数のガス排出開口を有する、請求項１に記載のガス発生装置。
【請求項６】
所定の長さと、該長さ方向に沿って間隔を空けて設けた複数のガス排出口とを有すると共に、第１端および第２端を有する細長いハウジングと、
該ハウジング内に包含される推進剤体であって、前記ハウジングと略同延の長さを有すると共に、燃料として１０〜２５重量％のシリコーンの混合物と、７５〜９０重量％の酸化剤とを含み、ここで前記重量％の配合は前記推進剤体の重量に対する割合である前記推進剤体と、
該推進剤と略同延の着火体であって、略前記推進剤の長さにわたって前記推進剤と物理的に接触する前記着火体とを含み、
前記着火体に点火することによって、本質的に前記推進剤の全長にわたる均一な着火および燃焼がもたらされる、車両乗員保護システムのガス発生装置。
【請求項７】
酸化剤が、過塩素酸ナトリウム、過塩素酸アンモニウム、過塩素酸リチウム、過塩素酸カリウム、硝酸ストロンチウム、硝酸カリウム、硝酸アンモニウム、相安定化硝酸アンモニウム、およびその混合物からなる群から選択される、請求項６に記載のガス発生装置。
【請求項８】
推進剤混合物が、金属水酸化物、金属炭酸化物、無機シュウ酸化物、およびその混合物の群から選択される冷却剤をさらに含み、該冷却剤の含有量が、前記推進剤体の重量の１〜３０％である、請求項６に記載のガス発生装置。
【請求項９】
推進剤混合物が、推進剤体の重量の１〜３０％の炭酸ストロンチウムをさらに含む、請求項６に記載のガス発生装置。
【請求項１０】
酸化剤が、過塩素酸酸化剤である、請求項６に記載のガス発生装置。
【請求項１１】
所定の長さと、該長さ方向に沿って間隔を空けて設けられた複数のガス排出口とを有すると共に、第１端および第２端を有する細長いハウジングと、
該ハウジング内に包含される推進剤体であって、前記ハウジングと略同延であると共に、燃料としてシリコーンの混合物と、過塩素酸酸化剤と、金属水酸化物、金属炭酸化物、無機シュウ酸化物、およびそれらの混合物の群から選択される冷却剤を含む、前記推進剤体と、
該推進剤と略同延の着火体であって、略前記推進剤の長さにわたって前記推進剤と物理的に接触する前記着火体とを含み、
該着火体に点火することによって、本質的に前記推進剤の全長にわたる均一な着火および燃焼がもたらされる、車両乗員保護システムのガス発生装置。
【請求項１２】
推進剤混合物が、スラグ生成成分をさらに含む、請求項１１に記載のガス発生装置。
【請求項１３】
スラグ形成成分が、アルミニウム酸化物および鉄酸化物からなる群から選択される、請求項１２に記載のガス発生装置。
【請求項１４】
冷却剤が、水酸化アルミニウム、炭酸カルシウム、炭酸マグネシウム、炭酸ストロンチウム、炭酸ナトリウム、シュウ酸カルシウム、シュウ酸ストロンチウム、およびシュウ酸アルミニウムからなる群から選択される、請求項１１に記載のガス発生装置。
【請求項１５】
所定の長さと、該長さ方向に沿って間隔を空けて設けられた複数のガス排出口とを有すると共に、第１端および第２端を有する細長いハウジングと、
該ハウジングの中央に配置された推進剤チャンバと、
該チャンバ内に収納される推進剤体であって、前記ハウジングと略同延であると共に、燃料として１０〜２５重量％のシリコーンの混合物と、７５〜９０重量％の酸化剤とを含み、前記重量％の配合が前記推進剤体の重量に対する割合である前記推進剤体と、
該推進剤と略同延の着火体であって、略前記推進剤の長さにわたって前記推進剤と物理的に接触する前記着火体とを含み、
前記着火体に点火することによって、本質的に前記推進剤の全長にわたる均一な点火および燃焼がもたらされる、車両乗員保護システムのガス発生装置。
【請求項１６】
請求項１〜１５のいずれかに記載のガス発生装置を備えた車両乗員保護システム。
【請求項１７】
請求項１〜１５のいずれかに記載のガス発生装置、エアバッグおよびガス発生組成物を備えたアセンブリ。
【手続補正２】
【補正対象書類名】明細書
【補正対象項目名】００１３
【補正方法】変更
【補正の内容】
【００１３】
推進剤１６は一般に、燃料として約１０〜２５重量％のシリコーン混合物と、過塩素酸アンモニウムまたは過塩素酸カリウムなどの酸化剤を約７５〜９０重量％を含む。シリコーンは、燃料として作用するだけでなく、バインダとしてもはたらき、これによって柔軟な円筒形の推進剤押出し加工品の形成を容易にする。
推進剤１６は好ましくは、燃料として重量で約１０〜２５％のシリコーンと、アンモニウム、リチウム、またはカリウムの過塩素酸化物などの過塩素酸酸化剤と、冷却剤として過塩素酸ストロンチウムまたは炭酸ストロンチウムなどのストロンチーム塩とを含むのが好ましく、ここで酸化剤および冷却剤は、推進剤の重量の約７５〜９０％を構成する。シリコーンは、例えばジェネラル・エレクトリック社（General Electric）またはその他の周知のサプライヤから購入することができる。その他のガス発生剤組成物は、サプライから購入するか、あるいは当該技術において公知の方法で製造することができる。
【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】  （３Ｓ,４Ｓ）−（１−アミノメチル−３,４−ジメチル−シクロペンチル）−酢酸又はその医薬上許容しうる塩を含有する睡眠障害の治療剤。
【請求項２】  睡眠障害が不眠症である請求項１記載の治療剤。
【手続補正２】
【補正対象書類名】明細書
【補正対象項目名】０００３
【補正方法】変更
【補正の内容】
【０００３】
式Ｉ
【化３】
2004501189.tif 000001
（式中、Ｒ1は水素又は低級アルキルであり、そしてｎは４〜６の整数である）
の化合物及びその医薬上許容しうる塩、並びに式II
【化４】
2004501189.tif 000002
（式中、Ｒ2は１〜６個の炭素原子の直鎖もしくは分枝鎖アルキル、フェニル、又は３〜
６個の炭素原子のシクロアルキルであり；Ｒ3は水素又はメチルであり；そしてＲ4は水素、メチル又はカルボキシルである）
の化合物；又はその個々の鏡像異性体；又はその医薬上許容しうる塩は、不眠症の治療に有用である（１９９８年７月９日出願された米国特許出願第60/092166号、これは参照により本明細書に組み込まれる）。
【手続補正３】
【補正対象書類名】明細書
【補正対象項目名】００２７
【補正方法】変更
【補正の内容】
【００２７】
特に不眠症及び関連障害に有用な薬剤は、（３Ｓ,４Ｓ）−（１−アミノメチル−３,４−ジメチル−シクロペンチル）−酢酸である。
また、不眠症及び関連障害に特に有用な薬剤としては、（３Ｓ,５Ｒ）−３−アミノメチル−５−メチル−オクタン酸である。
【手続補正４】
【補正対象書類名】明細書
【補正対象項目名】００３５
【補正方法】変更
【補正の内容】
【００３５】
結果
（３Ｓ,４Ｓ）−（１−アミノメチル−３,４−ジメチル−シクロペンチル）−酢酸（化合物１）３、１０及び３０ｍｇ／ｋｇのＰＯ及び（３Ｓ,５Ｒ）−３−アミノメチル−５−メチル−オクタン酸（化合物２）１、３及び２０ｍｇ／ｋｇのＰＯでは、注射後１２時間の間にラットにおいてＮＲＥＭが顕著に増加した（それぞれ、表１及び表２）。このようなラットにおけるＮＲＥＭ睡眠の増加は、睡眠誘導剤としてヒトに用いる薬剤によって示される典型的なプロフィールである(Meltzer L.T. and Serpa K.A., Assessment of hypnotic effects in the rat: Influence of the sleep-awake cycle, Drug Development Research 1988; 14:151-159; Depoortere H. 等, Hypnotics: Clinical value of pharmaco-EEG methods, Neuropsychobiology 1986; 16:157-162)。
【手続補正書】
【提出日】平成18年2月7日(2006.2.7)
【手続補正１】
【補正対象書類名】明細書
【補正対象項目名】特許請求の範囲
【補正方法】変更
【補正の内容】
【特許請求の範囲】
【請求項１】  脂漏性皮膚炎を処置するための局所適用のための医薬組成物の製造のための治療的に有効量のイベルメクチンの使用。
【請求項２】  前記イベルメクチンが医薬として許容される担体中に存在する、請求項１に記載の使用。
【請求項３】  前記イベルメクチンが少なくとも７５０ mcg／mlの濃度で存在する、請求項２に記載の使用。
【請求項４】  医薬として許容される担体中に存在する前記イベルメクチンがローション又はクリームの形態で存在する、請求項２に記載の使用。
【請求項５】  前記の医薬として許容される担体が、水、プロピレングリコール、ラウリル硫酸ナトリウム、キサンタンガム、及びこれらの組み合わせを含んで成る、請求項４に記載の使用。